(57)【特許請求の範囲】
【請求項１】
無線名に対応した通信機能を実現する通信ソフトウェアを複数記憶する通信ソフトウェアサーバと、前記通信ソフトウェアサーバから通信ソフトウェアをダウンロードして無線通信を行うソフトウェア無線機と、前記ソフトウェア無線機を介して外部との通信を行う通信端末とがネットワークを介して接続された無線通信システムであって、
前記通信ソフトウェアサーバが、無線名に対応して詳細な周波数を規定するメモリチャネル情報を記憶しており、前記通信端末から、無線名を付したメモリチャネル情報の要求があると、当該無線名に対応するメモリチャネル情報を当該通信端末宛に送信する通信ソフトウェアサーバであり、
前記通信端末が、所望の無線名を指定すると共に、前記通信ソフトウェアサーバに、前記無線名を付してメモリチャネル情報を要求して、前記通信ソフトウェアサーバから送信されたメモリチャネル情報を、前記無線名に応じた通信ソフトウェアがダウンロードされているソフトウェア無線機に送信する通信端末であり、
前記ソフトウェア無線機が、前記通信端末によって指定された無線名に対応する通信ソフトウェアをダウンロードして、前記通信端末から送信されたメモリチャネル情報を前記無線名に対応付けて登録し、前記メモリチャネル情報に基づいて無線通信を行うソフトウェア無線機であることを特徴とする無線通信システム。
【発明の詳細な説明】
【技術分野】
【０００１】
本発明は、ソフトウェア無線機を用いた無線通信システムに係り、特に無線名及びメモリチャネル番号を指定すれば、どの通信端末やソフトウェア無線機を用いても、同じ条件で通信を行うことができ、また、電源切断の後に、電源切断前の状態を保持して再起動でき、設定変更等の手間を無くし、利便性を向上させることができる無線通信システムに関する。
【背景技術】
【０００２】
従来の無線通信システムについて図４を使って説明する。図４は、従来の無線通信システムの構成ブロック図である。
図４に示すように、従来の無線通信システムは、複数のソフトウェア無線機１′-1〜１′-nと、通信ソフトウェアサーバ２′と、複数の通信端末３-1〜３-mと、管理端末４とがＬＡＮ５によって接続されて構成されているものである。
【０００３】
更に、各ソフトウェア無線機１′には、電力増幅器１１及びアンテナ１２が接続されている。そして、上記無線通信システムでは、通信端末３が、ソフトウェア無線機１′を介して、外部のネットワークとの通信を行うようになっている。
【０００４】
各構成部分について具体的に説明する。
ソフトウェア無線機１′は、管理端末４からの指示に基づいて、チャネル毎に、無線機の機能として必要な通信ソフトウェアを、ＬＡＮ５を介して、通信ソフトウェアサーバ２′からダウンロードして起動することにより、所望の無線通信を行う無線機として動作するものである。
【０００５】
図４の例では、ソフトウェア無線機１′は各々２つのチャネルを備え、ソフトウェア無線機１′-1では、チャネル１（図示せず）用としてＨＦ−Ａ１という無線を用いて機能Ａを実現する通信ソフトウェア（機能Ａ用通信ソフトウェア）が起動中であり、チャネル２（図示せず）用としてＶＨＦ−Ｂ２という無線を用いて機能Ｂを実現する通信ソフトウェア（機能Ｂ用通信ソフトウェア）が起動中であることを示している。「機能」としては、例えば音声通信や電子メール送受信がある。
【０００６】
すなわち、ソフトウェア無線機１′は、現在起動中の通信ソフトウェアとは異なる通信ソフトウェアをダウンロードして起動すれば、別の機能を実現する無線機として機能するものであるが、通常、システムを運用する際には、ソフトウェア無線機１′毎にある程度固定された特定の機能を実現するようになっている。
【０００７】
更に、各ソフトウェア無線機１′には、当該ソフトウェア無線機１′で利用可能な複数のメモリチャネル情報が記憶されている。メモリチャネル情報は無線通信を行う際の周波数等の詳細なパラメータを規定する情報であるが、メモリチャネル情報については後で説明する。
【０００８】
電力増幅器１１は、送信信号を所定の増幅率で増幅してアンテナ１２に出力すると共に、アンテナ１２からの受信信号を増幅してソフトウェア無線機１′に出力するものである。
また、アンテナ１２は高周波信号の送受信を行うものである。
【０００９】
通信端末３-1〜３-mは、ＶｏＩＰによる音声通信や電子メール送受信といった特定の機能を実現するための端末プログラムが記憶されており、このプログラムを起動して、ＬＡＮ５を介して対応する通信ソフトウェアが起動しているソフトウェア無線機１′と接続することにより、外部との音声通信や電子メールの送受信等の機能を実現できるものである。通常、各通信端末３には、予め、特定機能を実現するための接続先となるソフトウェア無線機１′及びチャネルが設定されているものである。そして、通信端末３がソフトウェア無線機１′を介して外部と無線通信を行う際には、電源投入後の初期設定時に設定されたメモリチャネル情報に応じた条件で通信を行うようになっている。
【００１０】
通信ソフトウェアサーバ２′は、ソフトウェア無線機１′を、特定の機能を実現する無線機として機能させるために、ソフトウェア無線機１′において起動される複数の通信ソフトウェアが記憶されている。図４の例では、機能Ａ用、機能Ｂ用、…機能ｐ用の通信ソフトウェアが記憶されている。そして、通信ソフトウェアサーバ２′は、ソフトウェア無線機１′から特定の通信ソフトウェアの要求があると、当該通信ソフトウェアをソフトウェア無線機宛に送出するものである。
【００１１】
管理端末４は、当該無線通信システムにおけるソフトウェア無線機１′及び通信端末３の運用状態の管理を行うものであり、管理情報として、無線機情報ファイルと、無線機使用状況ファイルと、端末情報ファイルとを記憶している。また、当該システムで使用可能な運用方式の一覧と、それに対応するバンド、周波数、変調方式の情報も記憶している。
【００１２】
管理端末４に記憶されている無線機情報ファイルについて図５を用いて説明する。図５は、無線機情報ファイルの説明図である。
図５に示すように、無線機情報ファイルは、管理端末４によって作成され、当該通信システムで使用可能な無線名毎に、運用方式、バンド、周波数、変調方式を対応付けて記憶しているものである。尚、「運用方式」は、上述した「機能（機能Ａ、機能Ｂ…）」に相当するものである。また、図５には記載していないが、運用方式に対応して、通信ソフトウェアも特定されるようになっている。尚、「無線名」は、入力者（管理者）が任意に付した名称である。
【００１３】
そして、ソフトウェア無線機１′は、管理端末４からの指示によって無線名及びそれに対応する情報が指定されることにより、無線機として機能するようになっている。また、図５の例では、無線名「ＨＦ−Ａ１」と「ＨＦ−Ａ２」は、周波数だけが異なっているものであるが、全ての組み合わせが同一であっても、無線名が異なれば異なる機能としてソフトウェア無線機１′に設定して、別の通信端末３に割り当てることが可能である。
【００１４】
次に、無線機使用状況ファイルについて図６を用いて説明する。図６は、無線機使用状況ファイルの説明図である。
図６に示すように、無線機使用状況ファイルは、管理端末４によって作成され、ソフトウェア無線機１′のチャネル毎に、当該チャネルに設定されている無線名と、現時点での使用状況とを記憶しているものである。
例えば、ソフトウェア無線機１′-1のチャネル１には、無線名ＨＦ−Ａ１が設定されており、通信端末３-1に使用許可を与えていることを示している。尚、管理端末４は、無線機使用状況ファイルの内容が更新されるたびに、各通信端末３に更新内容を通知するようになっており、ソフトウェア無線機１′の使用状況を、通信端末３側でも確認することができるものである。
【００１５】
次に、端末情報ファイルについて図７を用いて説明する。図７は、端末情報ファイルの構成を示す説明図である。
図７に示すように、端末情報ファイルは、通信システムにおける使用可能な無線名毎に、使用状況と、通信端末３側で必要になる端末プログラム名とを記憶しているものである。図７の例では、無線名ＨＦ−Ａ１は通信端末３-1が使用中であり、無線名ＨＦ−Ａ２はいずれかのソフトウェア無線機１′に通信プログラムがダウンロードされて設定済みであるが、現時点では特定の通信端末３によって使用されていない状況にあることを示している。
【００１６】
次に、ソフトウェア無線機１′に記憶されているメモリチャネル情報について図８を用いて説明する。図８は、ソフトウェア無線機１′に記憶されている無線名ＨＦ−Ａ１のメモリチャネル情報の構成を示す説明図である。
メモリチャネル情報は、各無線名に対応して複数設けられ、当該無線名で使用可能な周波数等の条件を示す情報である。図８に示すように、無線名ＨＦ−Ａ１に対応して、メモリチャネル１〜メモリチャネルｎのｎ個のメモリチャネル情報が記憶されている。
【００１７】
メモリチャネル情報は、各ソフトウェア無線機１′に記憶され、メモリチャネル番号と、バンド（周波数帯）と、周波数と、変調方式とコメントとが対応付けられて記憶されている。尚、コメントとしては、受信状態や受信局名を示す「○月○日  １０：００  受信感度良」「受信局  ○×○局（放送局名）」といったものが考えられる。
【００１８】
そして、通信端末３と通信を開始する際には、通信端末３から選択された無線名に応じて、図５に示した無線機情報ファイルに記憶された周波数で通信するが、通信端末３が、より受信感度のよい周波数を選択する場合等には、その周波数が設定されたメモリチャネルを指定する。
例えば、通信端末３から無線名「ＨＦ−Ａ１」が選択された場合、デフォルトとして最初は周波数「Ａ１Ｈｚ」（メモリチャネル１番）が設定されるが、もっと受信感度のよい周波数「Ａ５Ｈｚ」に変更する場合には、通信端末３は、「メモリチャネル３番」を指定する。これにより、ソフトウェア無線機１′は、「メモリチャネル３番」で規定されている周波数Ａ５Ｈｚで通信を行うこととなる。
【００１９】
そして、メモリチャネル情報は、通信端末３からの指示によって情報の内容を変更することが可能なものとなっている。
また、ソフトウェア無線機１′が任意の周波数範囲をスキャンして受信レベルを測定し、受信レベルが一定値以上となった時点での周波数等の情報を、メモリチャネル情報として登録することも可能となっている。そのため、同じ無線通信システム内でもソフトウェア無線機１′によって記憶されているメモリチャネル情報は異なる場合がある。
【００２０】
そして、上記従来の無線通信システムにおいては、初期設定時に、通信端末３上で使用したい無線名が選択されると、通信端末３は、管理端末４に無線名を報知し、ソフトウェア無線機１′を介して通信を行うためのメモリチャネルをソフトウェア無線機１′から取得して、ソフトウェア無線機１′との通信を開始するようになっている。
【００２１】
ここで、従来の無線通信システムにおけるメモリチャネル情報取得の処理について図９を用いて説明する。図９は、従来の無線通信システムにおけるメモリチャネル情報取得の処理を示す説明図である。
図９に示すように、従来の無線通信システムにおいては、まず、通信端末３のメニュー画面等から、ユーザによって使用する無線名が選択される（１）と、通信端末３は、管理端末４に使用無線名を通知する（２）。
【００２２】
管理端末４は、無線機使用状況ファイルや端末情報ファイルを参照して、通知元の通信端末３に対応するソフトウェア無線機１′に対してダウンロードすべき通信プログラム名を指示する（３）。
【００２３】
ソフトウェア無線機１′は、管理端末４からの指示に従って、指定された通信ソフトウェアを通信ソフトウェアサーバ２′からダウンロードして取得する（４）。そして、ソフトウェア無線機１′は、管理端末４に、通信ソフトウェアのダウンロードが完了して通信の準備が整ったことを通知する（５）。
【００２４】
管理端末４は、ダウンロード完了の通知を受信すると、通信端末３に、使用許可通知を出力する（６）。
通信端末３は、ソフトウェア無線機１′に対して、メモリチャネル要求を出力して、ソフトウェア無線機１′からデフォルトのメモリチャネル情報を取得する（７）。そして、通信端末３は、取得したデフォルトのメモリチャネル情報に基づいてソフトウェア無線機１′を介して通信（例えば音声通信、電子メール送受信）を開始する。
【００２５】
デフォルトのメモリチャネル情報の条件で良好な通信ができる場合にはこの状態でよいが、上述した別の周波数に変更したい場合等には、この後、通信端末３は、ソフトウェア無線機１′に対してメモリチャネルの変更要求を出力し、受信したメモリチャネル情報の中から別のメモリチャネル番号を指定して、デフォルトのメモリチャネルとは異なる条件で通信を行うようになっている。
このようにして、当該通信端末３とソフトウェア無線機１′とが通信可能な状態となるものである。
【００２６】
尚、従来の無線通信システムでは、システム運用上の都合により、これまであるソフトウェア無線機１′上で行われていた運用方式（音声通信、電子メール送受信等の機能）が別のソフトウェア無線機１′に移動することがあった。
【００２７】
また、従来の無線通信システムでは、運用中のシステムの電源を落とした後に再起動すると、通信端末３における受信音のボリュームや、ノイズを除去するスケルチの設定値等がリセットされてしまい、再度設定しなければならなかった。
【００２８】
尚、ソフトウェア無線機の従来技術としては、平成１６年９月３０日公開の特開２００４−２７４３００「ソフトウェア無線機」（出願人：株式会社日立国際電気、発明者：中野洋史）がある。
この従来技術は、通信プロトコルのシーケンスに則り、引き続き発生するであろうと予測される送信データの送信経路ヲ予測し、予測された経路となる無線通信先装置を特定し、当該無線通信先との無線通信方式（電波種別）に対応するソフトウェアの準備を行うソフトウェア無線機であり、これにより、無線通信方式を迅速に切り替えて運用することができるものである。
【００２９】
【特許文献１】特開２００４−２７４３００号公報（７−２１頁）
【発明の開示】
【発明が解決しようとする課題】
【００３０】
しかしながら、従来の無線通信システムでは、メモリチャネル情報はソフトウェア無線機毎に記憶されているため、あるソフトウェア無線機で使用していた無線名を別のソフトウェア無線機に通知しても、同じメモリチャネル情報を用いて通信を行うことができず、設定変更等の手間がかかり、不便であるという問題点があった。
【００３１】
また、メモリチャネル情報をソフトウェア無線機ではなく通信端末に記憶するようにした場合、以前使用したメモリチャネルと同じメモリチャネルを使用したければ、常に特定の通信端末を使用しなければならず、不便であった。
【００３２】
更に、従来の無線通信システムでは、一旦電源を切断した後で再起動すると、受信ボリュームやスケルチ等の設定がリセットされてしまい、設定し直しの作業が煩雑であるという問題点があった。
【００３３】
本発明は上記実状に鑑みて為されたもので、システム内の全てのソフトウェア無線機及び通信端末でメモリチャネル情報を共有することにより、無線名及びメモリチャネル番号を指定すれば、どの通信端末やソフトウェア無線機を用いても、同じ条件で通信を行うことができ、また、電源切断の後に、電源切断前の状態を保持して再起動でき、設定変更等の手間を無くし、利便性を向上させることができる無線通信システムを提供することを目的とする。
【課題を解決するための手段】
【００３４】
上記従来例の問題点を解決するための本発明は、無線名に対応した通信機能を実現する通信ソフトウェアを複数記憶する通信ソフトウェアサーバと、通信ソフトウェアサーバから通信ソフトウェアをダウンロードして無線通信を行うソフトウェア無線機と、ソフトウェア無線機を介して外部との通信を行う通信端末とがネットワークを介して接続された無線通信システムであって、通信ソフトウェアサーバが、無線名に対応して詳細な周波数を規定するメモリチャネル情報を記憶しており、通信端末から、無線名を付したメモリチャネル情報の要求があると、当該無線名に対応するメモリチャネル情報を当該通信端末宛に送信する通信ソフトウェアサーバであり、通信端末が、所望の無線名を指定すると共に、通信ソフトウェアサーバに無線名を付してメモリチャネル情報を要求して、通信ソフトウェアサーバから送信されたメモリチャネル情報を、無線名に応じた通信ソフトウェアがダウンロードされているソフトウェア無線機に送信する通信端末であり、ソフトウェア無線機が、通信端末によって指定された無線名に対応する通信ソフトウェアをダウンロードして、通信端末から送信されたメモリチャネル情報を無線名に対応付けて登録し、メモリチャネル情報に基づいて無線通信を行うソフトウェア無線機であることを特徴としている。
【発明の効果】
【００３５】
本発明の無線通信システムは、通信ソフトウェアサーバが、無線名に対応して詳細な周波数を規定するメモリチャネル情報を記憶しており、通信端末から、無線名を付したメモリチャネル情報の要求があると、当該無線名に対応するメモリチャネル情報を当該通信端末宛に送信し、通信端末が、所望の無線名を指定すると共に、通信ソフトウェアサーバに、無線名を付してメモリチャネル情報を要求して、通信ソフトウェアサーバから送信されたメモリチャネル情報を、無線名に応じた通信ソフトウェアがダウンロードされているソフトウェア無線機に送信し、ソフトウェア無線機が、通信端末によって指定された無線名に対応する通信ソフトウェアをダウンロードして、通信端末から送信されたメモリチャネル情報を無線名に対応付けて登録し、メモリチャネル情報に基づいて無線通信を行う無線通信システムとしているので、システム内の全てのソフトウェア無線機及び通信端末でメモリチャネル情報を共有することができ、無線名及びメモリチャネル番号を指定すれば、どの通信端末やソフトウェア無線機を用いても、常に同じ条件で通信を行うことができ、システム運用上の都合で、無線名に対応した機能を実現するソフトウェア無線機が変更になったとしても、以前と同じ無線名とメモリチャネル番号がそのまま使えるので、設定変更等の作業が不要となり、利便性を向上させることができる効果がある。
【発明を実施するための最良の形態】
【００３６】
本発明の実施の形態について図面を参照しながら説明する。
本発明の無線通信システムは、無線名に対応したメモリチャネル情報を、通信ソフトウェアサーバに記憶しておき、通信端末において通信開始する際に、通信端末が通信ソフトウェアサーバに無線名を指定してメモリチャネル情報を要求し、通信ソフトウェアサーバが、無線名に対応するメモリチャネル情報を読み出して通信端末に送付するものであり、どのソフトウェア無線機や通信端末を用いても、無線名に対応した同一のメモリチャネル情報に基づいて通信を行うことができ、設定変更等の手間を無くして利便性を向上させることができるものである。
【００３７】
また、本発明の無線通信システムは、電源切断前の通信端末及びソフトウェア無線機の状態を、ラストステート情報として通信ソフトウェアサーバに記憶しておき、電源を切断した後に再起動する際には、通信端末が通信ソフトウェアサーバからラストステート情報を受信して自己の設定を行うと共に、ソフトウェア無線機に対してラストステート情報を送信し、ソフトウェア無線機における設定を行うものであり、電源断になっても再起動時には電源断前の状態に容易に戻すことができ、設定変更等の手間を無くして利便性を向上させることができるものである。
【００３８】
本発明の実施の形態に係る無線通信システムの構成について図１を用いて説明する。図１は、本発明の実施の形態に係る無線通信システム（本システム）の構成ブロック図である。
図１に示すように、本システムの基本的な構成は、図４に示した従来の無線通信システムの構成とほぼ同様であり、複数のソフトウェア無線機１-1〜１-nと、通信ソフトウェアサーバ２と、複数の通信端末３-1〜３-mと、管理端末４とがＬＡＮ５によって接続されて構成されているものである。
【００３９】
ソフトウェア無線機１の構成は、従来のソフトウェア無線機１′とほぼ同様であり、管理端末４からの指示に従って、通信ソフトウェアサーバ２からダウンロードした通信ソフトウェアを起動して、通信端末３と外部ネットワークとの通信を実現するものである。
本システムのソフトウェア無線機１の特徴として、従来のソフトウェア無線機１′では、図８に示した利用可能な全てのメモリチャネル情報を記憶していたのに対し、本システムのソフトウェア無線機１では、現在運用している無線名に対応して、通信端末３から登録されたメモリチャネル情報のみを記憶しているものである。
【００４０】
図１の例では、図示は省略するが、ソフトウェア無線機１-1には、チャネル１（図示せず）に設定されているＨＦ−Ａ１のメモリチャネル情報と、チャネル２（図示せず）に設定されているＶＨＦ−Ｂ２のメモリチャネル情報とが登録されており、その他の無線名に対応するメモリチャネル情報は記憶されていない。同様に、ソフトウェア無線機１−nには、ＶＨＦ−Ｂ１のメモリチャネル情報と、ＵＨＦ−Ｄ２のメモリチャネル情報とが登録されている。
【００４１】
通信ソフトウェアサーバ２は、従来と同様に、ソフトウェア無線機１において起動される複数の通信ソフトウェア２１が記憶されているものであり、ソフトウェア無線機１からの要求に応じて所望の機能（運用方式）に対応する通信ソフトウェアを送出するものである。
また、本システムの通信ソフトウェアサーバ２の特徴として、各無線名に対応するメモリチャネル情報２２と、ラストステート情報２３とを記憶しているものである。
【００４２】
メモリチャネル情報２２は、図８に示した従来のメモリチャネル情報とほぼ同様のものであり、記憶されているデータの構成は同様である。しかし、従来のシステムにおいては、個々のソフトウェア無線機１′毎に独自に取得したり通信端末３から変更されたメモリチャネル情報を記憶していたのに対し、本システムにおいては、システム内の全てのソフトウェア無線機１で利用可能な共通のメモリチャネル情報を一括して通信ソフトウェアサーバ２に記憶しているものである。すなわち、メモリチャネル情報を、システム内の全てのソフトウェア無線機１及び通信端末３で共有することが可能とするものである。
【００４３】
したがって、所望の運用方式がシステム内の別のソフトウェア無線機１に移動した場合でも、通信端末３から、所望の無線名を選択し、更に今まで使用していたメモリチャネル番号を指定すれば、以前と全く同じ条件で通信を行うことができるものである。
これにより、システムの運用形態の変更があっても通信端末３の利用者は、煩雑な設定変更等の作業を行わずにすみ、利便性を向上させることができるものである。
【００４４】
また、ラストステート情報２３は、システムの電源切断前に無線名毎に対応して記憶されたソフトウェア無線機１及び通信端末２の状態を示すデータである。情報としては、通信端末３における受信ボリュームやスケルチの値、及びソフトウェア無線機１における送受信の設定状態等が考えられる。
【００４５】
ここで、通信ソフトウェアサーバ２に記憶されているラストステート情報について図２を用いて説明する。図２は、ラストステート情報の構成を示す説明図である。
図２に示すように、通信ソフトウェアサーバ２に記憶されているラストステート情報は、システムで利用可能な無線名若しくは現在運用中の無線名毎に、ソフトウェア無線機１についての情報として、ソフトウェア無線機１の番号と、種々の設定状態やパラメータの値等を記憶し、また、通信端末３側の情報として、通信端末３の番号と、受信音のボリュームやスケルチの値等の設定状態を記憶しているものである。尚、ラストステート情報として無線名及びメモリチャネルの番号を記憶しておいてもよい。
【００４６】
そして、ラストステート情報の更新は、管理端末４からシステムの電源切断の指示が入力された場合に行われ、各ソフトウェア無線機１及び通信端末３が電源を切断する前に、自己の装置の状態をラストステートとして通信ソフトウェアサーバ２宛に送信し、通信ソフトウェアサーバ２が、受信したラストステートを無線名毎に対応付けて図２のように記憶するものである。
【００４７】
尚、ここでは、ラストステート情報を電源切断の指示が入力された場合に取得して通信ソフトウェアサーバ２に記憶するものとしたが、不慮のダウンに備えて定期的にステートを取得して、通信ソフトウェアサーバ２が定期的にラストステート情報を更新するようにしてもよい。
【００４８】
そして、電源が投入された際の立ち上げ時には、通信端末３が通信ソフトウェアサーバ２からメモリチャネル情報及びラストステート情報を取得して、内部にメモリチャネル情報を記憶し、ラストステート情報に従って各種パラメータや設定を行うと共に、通信先のソフトウェア無線機１に対しても取得した当該メモリ情報及びラストステート情報を送信するようになっている。これにより、システムの電源切断後の再起動時に、電源が切断される前の各ソフトウェア無線機１及び通信端末３の状態を再現することが可能となるものである。
【００４９】
次に、本システムにおける通信開始時のメモリチャネルの設定について図３を用いて説明する。図３は、本システムにおける通信開始時のメモリチャネルの設定時の処理を示す説明図である。尚、図３の処理は、電源投入時に行われるものである。
図３に示すように、電源が投入され、通信端末３において所望の無線名が選択される（１）と、通信端末３から管理端末４に使用無線名が通知される（２）。管理端末４は、図７に示した端末情報ファイルを参照して、当該無線名が使用可能であれば、無線名に対応した使用状況に当該通信端末３の番号を書き込んで端末情報ファイルを更新する。
【００５０】
そして、管理端末４は、無線機使用状況ファイルを参照して、無線名に応じた運用方式の通信ソフトウェアをダウンロードするよう、任意の又は予め設定されたソフトウェア無線機１に指示を出力する（３）。
ソフトウェア無線機１は、管理端末４からの指示に従って、通信ソフトウェアサーバ２に対して通信ソフトウェアの取得要求を出力し、通信ソフトウェアサーバ２から所望の通信ソフトウェアをダウンロードする（４）。
【００５１】
そして、ソフトウェア無線機１は、管理端末４に対して通信ソフトウェアダウンロード完了を通知する（５）。
管理端末４は、ダウンロード完了を受信すると無線機使用状況ファイルの当該ソフトウェア無線機２に対応して、設定済み無線名を書き込んで更新し、通信端末３にソフトウェア無線機１の番号を特定して使用許可を出力する（６）と共に、無線機使用状況ファイルの、該当する端末使用状況の部分に当該端末３の番号を書き込んで更新する。
【００５２】
そして、本システムの特徴として、通信端末３は、通信ソフトウェアサーバ２に、無線名を付してメモリチャネルを要求する。通信ソフトウェアサーバ２は、通信端末３から受信した無線名に対応するメモリチャネル情報を読み出して、その情報を通信端末３に送信し、通信端末３ではメモリチャネル情報を取得する（７）。
【００５３】
そして、電源投入後に行われる処理であれば、通信端末３は、通信ソフトウェアサーバ２にラストステートを要求する。通信ソフトウェアサーバ２は、図２に示したラストステート情報の中から、要求された通信端末３に対応する無線名のラストステート情報を読み出して、通信端末３に送信し、通信端末３ではラストステート情報を取得する（８）。そして、通信端末３は、取得したラストステート情報の内、自己に関する情報に基づいて受信音のボリュームやスケルチの値等の設定を行って、装置の状態を電源切断前と同じ状態に立ち上げる。また、ラストステート情報にメモリチャネル番号が含まれる場合には、通信端末３は、電源切断前のメモリチャネル番号を設定する。
【００５４】
そして、通信端末３は、（７）で取得したメモリチャネル情報と、（８）で取得したラストステート情報とを、通信先のソフトウェア無線機１に送信する（９）（１０）。ソフトウェア無線機１では、受信したメモリチャネルを無線名に対応して登録し、更に、受信したラストステート情報の内、自己の装置に関する情報に基づいて各種設定を行って、装置の状態を電源切断前の状態とする。ここで、ラストステート情報にメモリチャネル番号が含まれる場合には、電源切断前のメモリチャネル番号を設定する。
そして、通信端末３は、ソフトウェア無線機１と通信を開始する（１１）。
【００５５】
これにより、無線名に応じた機能が、あるソフトウェア無線機１から他のソフトウェア無線機１に移った場合でも、新たに当該機能を実現することになったソフトウェア無線機１において、以前使用していたメモリチャネル情報を使用することができ、利便性を向上させることができるものである。同様に、以前とは別の通信端末３で同じ機能を使う場合にも、以前使用していたメモリチャネル情報を使用することができるものである。
【００５６】
また、システムの電源切断後に再起動する際にも、通信端末３及びソフトウェア無線機１が、通信ソフトウェアサーバ２からのラストステート情報に基づいて、電源切断前の状態で再起動することができ、マニュアル操作で設定のし直しを行わなくてすみ、利便性を向上させることができるものである。
【００５７】
本発明の実施の形態に係る無線通信システムによれば、複数の無線名に対応する詳細な周波数の情報等を規定したメモリチャネル情報を、通信ソフトウェアサーバ２に記憶しておき、通信開始時に、通信端末３が、所望の無線名を付して通信ソフトウェアサーバ２にメモリチャネル情報を要求してメモリチャネル情報を取得し、当該無線名に対応付けて登録すると共に当該メモリチャネル情報を通信先のソフトウェア無線機１に送信し、ソフトウェア無線機１が、受信したメモリチャネル情報を当該無線名に対応して登録し、通信端末３及びソフトウェア無線機１が当該メモリチャネル情報に基づいて通信を行う無線通信システムとしているので、所望の機能を実現するソフトウェア無線機１が変更になった場合でも、それまで使用していたメモリチャネル番号を別のソフトウェア無線機１に登録すれば、以前と全く同じ条件で通信を行うことができ、設定変更等を無くし、利便性を向上させることができる効果がある。
【００５８】
また、本発明の実施の形態に係る無線通信システムによれば、システムの電源切断の指示が入力されると、電源切断前に、運用中の各ソフトウェア無線機１及び通信端末３が現在の設定状態を通信ソフトウェアサーバ２に送信し、通信ソフトウェアサーバ２が、無線名毎に、ソフトウェア無線機１の状態と、通信端末３の状態とを対応付けてラストステート情報として記憶しておき、電源切断後に再起動する際には、通信端末３が、無線名を付して通信ソフトウェアサーバ２にラストステート情報を要求し、通信ソフトウェアサーバ２から送信されたラストステート情報に基づいて自己の設定を行うと共に、通信先のソフトウェア無線機１に当該ラストステート情報を送信し、ソフトウェア無線機１が受信したラストステート情報に基づいて自己の設定を行う無線通信システムとしているので、システムの電源が切断された後で再起動する際に、切断前の状態を保持して立ち上げることができ、設定変更の操作を行わずにすみ、利便性を向上させることができる効果がある。
【産業上の利用可能性】
【００５９】
本発明は、システム内の通信端末及びソフトウェア無線機で共有することにより、無線名及びメモリチャネル番号を指定すれば、どの通信端末やソフトウェア無線機を用いても、同じ条件で通信を行うことができ、また、電源切断の後に、電源切断前の状態を保持して再起動でき、設定変更等の手間を無くし、利便性を向上させることができる無線通信システムに適している。
【図面の簡単な説明】
【００６０】
【図１】本発明の実施の形態に係る無線通信システム（本システム）の構成ブロック図である。
【図２】ラストステート情報の構成を示す説明図である。
【図３】本システムにおける通信開始時のメモリチャネルの設定時の処理を示す説明図である。
【図４】従来の無線通信システムの構成ブロック図である。
【図５】無線機情報ファイルの説明図である。
【図６】無線機使用状況ファイルの説明図である。
【図７】端末情報ファイルの構成を示す説明図である。
【図８】ソフトウェア無線機１に記憶されているメモリチャネル情報の構成を示す説明図である。
【図９】従来の無線通信システムにおけるメモリチャネル取得の処理を示す説明図である。
【符号の説明】
【００６１】
１…ソフトウェア無線機、  ２…通信ソフトウェアサーバ、  ３…通信端末、  ４…管理端末、  ５…ＬＡＮ、  １１…電力増幅器、  １２…アンテナ、  ２１…通信ソフトウェア、  ２２…メモリチャネル情報、  ２３…ラストステート情報
【図１】
0004648853.tif 000002
【図２】
0004648853.tif 000003
【図３】
0004648853.tif 000004
【図４】
0004648853.tif 000005
【図５】
0004648853.tif 000006
【図６】
0004648853.tif 000007
【図７】
0004648853.tif 000008
【図８】
0004648853.tif 000009
【図９】
0004648853.tif 000010